(57)【特許請求の範囲】
【請求項１】
画像ファイルのデータサイズが指定データサイズより大きくならないように、前記画像ファイルを変更することが可能な携帯電話機であって、
前記指定データサイズと画像下限サイズを設定するサイズ設定手段と、
圧縮率が異なる複数の画像フォーマットを設定するフォーマット設定手段と、
前記画像ファイルのデータサイズが前記サイズ設定手段により設定された指定データサイズより大きい場合に、前記画像ファイルにより表現される画像のサイズに対して予め決められた比率で縮小した変更画像サイズを、前記サイズ設定手段によって設定された前記画像下限サイズよりも縮小しない範囲で設定する変更画像サイズ設定手段と、
前記画像ファイルの画像を前記変更画像サイズが示すサイズに変更するサイズ変更手段と、
前記サイズ変更手段によりサイズが変更された画像を、前記フォーマット設定手段により設定された複数の画像フォーマットの圧縮率が低い順で用いて、前記指定データサイズより大きくなくなるまで前記複数の画像フォーマットの何れかに順次変更する画像ファイル変更手段とを備え、
前記画像ファイル変更手段により変更された画像ファイルのデータサイズが、前記フォーマット設定手段により設定された全ての画像フォーマットを用いて変更しても前記指定データサイズより大きい場合には、
前記変更画像サイズ設定手段は、予め決められた比率でさらに縮小した前記変更画像サイズを設定し、
前記サイズ変更手段は、前記画像ファイル変更手段により変更された画像ファイルの画像データを、さらに縮小された前記変更画像サイズが示すサイズに変更し、前記画像ファイル変更手段により前記画像フォーマットを変更させることを特徴とする携帯電話機。
【請求項２】
前記画像ファイルにより表現される画像の色数を設定するカラータイプ設定手段と、
前記画像ファイルの画像データを前記カラータイプ設定手段により設定された色数の画像データに変更する画像処理手段とをさらに具備し、
前記画像処理手段によって変更された画像データのデータサイズが前記指定データサイズより大きい場合に、前記変更画像サイズ設定手段による変更画像サイズを設定することを特徴とする請求項１記載の携帯電話機。
【請求項３】
前記カラータイプ設定手段は、異なる複数の色数を設定し、
前記画像処理手段は、前記画像データを、前記カラータイプ設定手段により設定された色数の多い順に、前記指定データサイズより大きくなくなるまで画像フォーマットに順次変更し、
前記カラータイプ設定手段によって設定された全ての色数に変更しても前記指定データサイズとならなかった場合に、前記変更画像サイズ設定手段による変更画像サイズを設定することを特徴とする請求項２に記載の携帯電話機。
【請求項４】
前記サイズ設定手段は、前記画像ファイルを記憶する記憶媒体の空き容量に応じて、前記指定データサイズを設定することを特徴とする請求項１から請求項３のいずれかに記載の携帯電話機。
【請求項５】
前記サイズ設定手段は、前記画像ファイルが添付される電子メールの容量に対する制限に応じて、前記指定データサイズを設定することを特徴とする請求項１から請求項３のいずれかに記載の携帯電話機。
【請求項６】
前記サイズ設定手段は、前記画像ファイルの送信先における該画像ファイルのデータサイズに対する制限に応じて、前記指定データサイズを設定することを特徴とする請求項１から請求項３のいずれかに記載の携帯電話機。
【請求項７】
画像ファイルを添付した電子メールを送信する携帯電話機であって、
サーバ装置において該携帯電話機により送信された電子メールを記憶するために割り当てられた容量に応じて、指定データサイズと画像下限サイズを設定するサイズ設定手段と、
圧縮率が異なる複数の画像フォーマットを設定するフォーマット設定手段と、
前記画像ファイルのデータサイズが前記サイズ設定手段により設定された指定データサイズより大きい場合に、前記画像ファイルにより表現される画像のサイズに対して予め決められた比率で縮小した変更画像サイズを、前記サイズ設定手段によって設定された前記画像下限サイズよりも縮小しない範囲で設定する変更画像サイズ設定手段と、
前記画像ファイルの画像を前記変更画像サイズが示すサイズに変更するサイズ変更手段と、
前記サイズ変更手段によりサイズが変更された画像を、前記フォーマット設定手段により設定された複数の画像フォーマットの圧縮率が低い順で用いて、前記指定データサイズより大きくなくなるまで前記複数の画像フォーマットの何れかに順次変更する画像ファイル変更手段と、
前記画像ファイル変更手段により変更された画像ファイルを添付した電子メールを、ネットワークを介して送信する送信手段とを具備し、
前記画像ファイル変更手段により変更された画像ファイルのデータサイズが、前記フォーマット設定手段により設定された全ての画像フォーマットを用いて変更しても前記指定データサイズより大きい場合には、
前記変更画像サイズ設定手段は、予め決められた比率でさらに縮小した前記変更画像サイズを設定し、
前記サイズ変更手段は、前記画像ファイル変更手段により変更された画像ファイルの画像データを、さらに縮小された前記変更画像サイズが示すサイズに変更し、前記画像ファイル変更手段により前記画像フォーマットを変更させることを特徴とする携帯電話機。
【請求項８】
前記サイズ設定手段は、前記電子メールの送信先装置において画像ファイルのデータサイズになされた制限に応じて、前記指定データサイズを設定することを特徴とする請求項７記載の携帯電話機。
【請求項９】
前記画像ファイルにより表現される画像の色数を設定するカラータイプ設定手段と、
前記画像ファイルの画像データを前記カラータイプ設定手段により設定された色数の画像データに変更する画像処理手段とをさらに具備し、
前記画像処理手段によって変更された画像データのデータサイズが前記指定データサイズより大きい場合に、前記変更画像サイズ設定手段による変更画像サイズを設定することを特徴とする請求項７または請求項８のいずれかに記載の携帯電話機。
【発明の詳細な説明】
【０００１】
【発明の属する技術分野】
本発明は、画像ファイルを扱う携帯電話機に関する。
【０００２】
【従来の技術】
近年では、ディジタルカメラの普及などに伴って、パーソナルコンピュータなどの情報機器において、画像ファイルを扱う機会が増えてきている。画像ファイルに対しては、専用のユーティリティプログラムを利用することによって、カメラから取得した画像ファイルに対する編集、加工を行なうことができる。
【０００３】
例えば、画像ファイルをある目的をもって所定のデータサイズに変更しようとする場合、ユーティリティプログラムに設けられた画像編集機能を用いてユーザが操作することによって、画像ファイルを所定のデータサイズに変更することができる。
【０００４】
【発明が解決しようとする課題】
このように従来では、画像ファイルのデータサイズを変更することができるものの、ユーザが所定のデータサイズとなるようにユーティリティプログラムを操作しなければならなかった。従って、画像ファイルのデータサイズを調整するためには、ユーザに対してある程度の専門知識を必要とし、また目標のデータサイズとするために何度が操作を繰り返して行なうといった試行錯誤的な操作が必要となる場合があり、ユーザに対する負担が大きかった。
【０００５】
本発明は前記のような事情を考慮してなされたもので、ユーザに対する作業負担を軽減して、画像ファイルを所定のデータサイズに変更することが可能な携帯電話機を提供することを目的とする。
【０００６】
【課題を解決するための手段】
本発明は、画像ファイルのデータサイズが指定データサイズより大きくならないように、前記画像ファイルを変更することが可能な携帯電話機であって、前記指定データサイズと画像下限サイズを設定するサイズ設定手段と、圧縮率が異なる複数の画像フォーマットを設定するフォーマット設定手段と、前記画像ファイルのデータサイズが前記サイズ設定手段により設定された指定データサイズより大きい場合に、前記画像ファイルにより表現される画像のサイズに対して予め決められた比率で縮小した変更画像サイズを、前記サイズ設定手段によって設定された前記画像下限サイズよりも縮小しない範囲で設定する変更画像サイズ設定手段と、前記画像ファイルの画像を前記変更画像サイズが示すサイズに変更するサイズ変更手段と、前記サイズ変更手段によりサイズが変更された画像を、前記フォーマット設定手段により設定された複数の画像フォーマットの圧縮率が低い順で用いて、前記指定データサイズより大きくなくなるまで前記複数の画像フォーマットの何れかに順次変更する画像ファイル変更手段とを備え、前記画像ファイル変更手段により変更された画像ファイルのデータサイズが、前記フォーマット設定手段により設定された全ての画像フォーマットを用いて変更しても前記指定データサイズより大きい場合には、前記変更画像サイズ設定手段は、予め決められた比率でさらに縮小した前記変更画像サイズを設定し、前記サイズ変更手段は、前記画像ファイル変更手段により変更された画像ファイルの画像データを、さらに縮小された前記変更画像サイズが示すサイズに変更し、前記画像ファイル変更手段により前記画像フォーマットを変更させることを特徴とする。
【０００９】
【発明の実施の形態】
以下、図面を参照して本発明の実施の形態について説明する。図１は本実施形態に係わるメール端末のシステム構成を示すブロック図である。本実施形態におけるメール端末は、例えば記録媒体に記録されたプログラムを読み込み、このプログラムによって動作が制御されるコンピュータによって実現される。本実施形態におけるメール端末は、電子メールの送受信を容易にする機能が搭載された専用端末であり、カメラによって撮影された画像の画像ファイルを扱い、画像ファイルを所定の目的に合った画像ファイルのデータサイズに変更することができる機能を有した画像処理装置として動作することができる。
【００１０】
図１に示すように、本実施形態におけるメール端末は、ＣＰＵ１０、ＲＯＭ１２、ＲＡＭ１４、外部記憶装置１６、補助記憶装置１８、カメラ２０、ＬＣＤ２２、ＶＲＡＭ２４、ポインティングデバイス２６、タブレット２８、キーボード３０、及び通信装置３２によって構成されている。
【００１１】
ＣＰＵ１０は、ＲＯＭ１２に記憶されたプログラムを実行することにより装置全体の制御を司る。ＣＰＵ１０は、ＲＯＭ１２に記憶された各種プログラム、例えばネットワークを介して通信を行なうための通信プログラム、電子メールを扱うためのメールプログラム、画像ファイルを扱うための画像処理プログラムを実行することにより、それぞれの機能を実現することができる。画像処理プログラムでは、後述する画像データサイズ変更処理、画像データカラータイプ変更処理などを実行することができる。ＲＡＭ１４は、ＣＰＵ１０によって実行される各種処理の実行に伴って、一時的なデータの記憶に用いられる。
【００１２】
外部記憶装置１６及び補助記憶装置１８は、各種データやプログラムなどが記憶される。
カメラ２０は、カラー画像の撮影を行なって画像データを取り込む。カメラ２０によって取り込まれた画像データは、所定の画像フォーマットによる画像ファイルとしてＲＡＭ１４、あるいは外部記憶装置１６、補助記憶装置１８に記憶される。カメラ２０によって得られた画像ファイルは、電子メールの添付ファイルとして利用することができる。
【００１３】
ＬＣＤ２２は、ＶＲＡＭ２４に記憶された表示パターンデータに従って、テキストや画像などの表示を行なう。
ポインティングデバイス２６、タブレット２８、及びキーボード３０は、ユーザの操作に応じて各種データの入力を行なう。
通信装置３２は、外部のネットワークを介して通信を行なうためのもので、例えば無線通信による通信制御の機能を有する。
【００１４】
図２は、図１に示す構成によるメール端末４０により電子メールを送受信する場合に関連するシステムの構成の一例を示す図である。図２に示すように、公衆回線網やインターネットなどの各種通信網を含むネットワーク３６を介して、メールサーバ３８、メール端末４０、ＰＣ（パーソナルコンピュータ）４２、携帯電話４４などが相互に接続される。メールサーバ３８には、このサーバ３８を用いて電子メールを送受信するユーザ（メールアカウント）ごとに、メールボックス３８ａに所定の容量が割り当てられている。例えば、図２に示す例では、メール端末４０を使用するユーザＡに対して、ユーザＡ用の容量がメールボックス３８ａに設けられており、ユーザＡ（メール端末４０）によって送受信される電子メール（添付ファイルなども含む）が記憶される。本実施形態では、メールボックス３８ａの容量の制限により、１件の電子メールに添付されるファイルに制限があるものとして説明する。
【００１５】
図３は、メール端末４０において管理され画像ファイルに対する変更処理（後述する画像データサイズ変更処理及び画像データカラータイプ変更処理）に用いるデータの一例を示す図である。画像ファイルに対する変更処理では、図３（ａ）に示す指定サイズデータと、図３（ｂ）に示すユーザ指定データが用いられる。指定サイズデータは、変更処理後の画像ファイルのデータサイズ（画像ファイルデータサイズ）を示すもので、例えばメールサーバ３８のメールボックス３８ａによって決められた制限を示すデータが予め設定されているものとする（例えば、画像処理プログラムあるいはメールプログラムに予め設定されていたり、ＲＯＭ１２に予め設定されていても良い）。また、ユーザ指定データは、画像処理プログラムによるデータ設定機能により、ユーザからの指示に応じて任意に設定することができるもので、本実施形態では画像フォーマット、画像下限サイズ、カラータイプを設定することができる。データ設定機能では、例えばユーザが選択可能なデータの一覧をユーザに提示して、その中から選択させることによって、データ設定を容易にすることができる。すなわち、画像フォーマットについては、図３（ｃ）に示すように、選択可能な複数の画像フォーマット１〜４を提示して、その中から選択させる。画像フォーマットとしては、例えばＢＭＰ（Bit Map）、ＴＩＦＦ（Tagged Image File Format）、ＪＰＥＧ（Joint Photographic Experts Group）ファイルなど、各種のフォーマットを用いることができる。また、ＪＰＥＧなどのように圧縮率を任意に調整できる画像フォーマットについては、複数の圧縮率を指定できるようにしても良い。この場合、ユーザ指定データとして、１種類の画像フォーマット（ＪＰＥＧ）について、複数の設定がなされることになる。ユーザ指定データに設定された複数の画像フォーマットは、ユーザによる設定順に関係なく、圧縮率が低い順に後述する画像データサイズ変更処理で用いられるものとする。同様にして、画像下限サイズについては、図３（ｄ）に示す画像サイズ１〜３を提示して選択させ、カラータイプについては、図３（ｅ）に示すフルカラーから（２５６色）２色までの複数レベルから選択させるようにする。
【００１６】
なお、指定サイズデータは、予め決められたものではなく、ユーザ指定データと同様にして、ユーザからの指示によって任意に設定されるものであっても良い。
指定サイズデータ及びユーザ指定データは、例えば外部記憶装置１６に記憶されており、必要に応じて読み出されてＲＡＭ１４に記憶されるものとする。
【００１７】
次に、本実施形態における画像データサイズ変更処理の動作について、図４に示すフローチャートを参照しながら説明する。画像データサイズ変更処理では、画像サイズ（縦横方向のサイズ）の変更と、画像フォーマットの変更とを組み合わせて画像ファイルの変換を行なうことによって、画像ファイルが目的とするデータサイズと合致するようにする。
【００１８】
ここでは、図２に示すシステムにおいて、メール端末４０から画像ファイルが添付された電子メールを送信する場合について説明する。
メールに添付する画像ファイルは、カメラ２０によって撮影されたものであり、例えば外部記憶装置１６に記憶されている。カメラ２０は、メールに添付する画像ファイルを作成することだけを目的としたものではなく、汎用とするために十分な解像度、カラー階調による画像の撮影が可能である。
【００１９】
ＣＰＵ１０は、画像ファイルが添付された電子メールの送信実行が指示された場合、画像処理プログラムによる画像データサイズ変更処理を実行する。
【００２０】
ＣＰＵ１０は、予め指定サイズデータを設定し（ステップＡ１）、電子メールに添付される画像ファイルの画像データサイズと、設定された指定サイズデータとを比較する（ステップＡ２）。
【００２１】
ここで、画像データサイズが指定サイズを越えている場合（ステップＡ３）、ＣＰＵ１０は、初期の変更画像サイズをセットする（ステップＡ４）。変更画像サイズは、処理対象とする画像に対して予め決められた比率で縮小したサイズとする。
【００２２】
変更画像サイズが、ユーザ指定データにおいて設定された画像下限サイズを越えている場合、すなわちユーザが意図する画像サイズよりも縮小しなければ指定サイズデータとならない場合にはエラーとして処理を終了する（ステップＡ５）。
【００２３】
一方、画像下限サイズを越えていない場合、ＣＰＵ１０は、変更画像サイズとなるように画像データを変換する（ステップＡ６）。さらに、ＣＰＵ１０は、変更画像サイズに変更した画像に対して、ユーザ指定データにおいて設定された１つの画像フォーマット（ｎ）による画像ファイルに変更した場合の画像データサイズを算出する（ステップＡ７）。
【００２４】
ここで、ＣＰＵ１０は、画像フォーマット（ｎ）による画像ファイルの画像データサイズと指定サイズデータとを比較する（ステップＡ８）。この結果、画像データサイズが指定サイズを越えていなかった場合には、目的とする画像データサイズに変更できたものとして処理を終了する。
【００２５】
一方、画像データサイズが指定サイズを越えていた場合には、ＣＰＵ１０は、ユーザ指定データに設定された画像フォーマット中の対象とする画像フォーマットを変更する（ステップＡ９）。そして、前述と同様にして、変更画像サイズに変更した画像に対して、次の画像フォーマットによる画像ファイルに変更した場合の画像データサイズを算出し（ステップＡ７）、指定サイズデータと比較して、目的とする画像データサイズとなったかを判別する（ステップＡ８）。
【００２６】
すなわち、ステップＡ４において設定した変更画像サイズの画像データに対して、ユーザ指定データに設定された複数の画像フォーマットを圧縮率の低い順で用いて、指定サイズを越えなくなるまで画像ファイルの変更を順次行なう。
【００２７】
なお、ユーザ指定データ中の画像フォーマットによる画像ファイルの変更では、指定サイズを越える場合には（ステップＡ１０）、新たに変更画像サイズをセットし（ステップＡ４）、画像サイズを予め決められた比率で縮小したサイズに変更した上で（ステップＡ６）、同様にして複数の画像フォーマットによる画像ファイルの変更を行なう。こうして、画像データサイズが指定サイズを越えなくなるまで画像ファイルの変更を繰り返して行なう。
【００２８】
このようにして、画像サイズの変更と画像フォーマットの変更を組合わせて、画像ファイルの変更を行なうことによって、ユーザが画像ファイルに対する編集操作などを行なうことなく、画像ファイルのデータサイズを予め設定されている指定サイズとなるようにすることができる。ユーザは、画像サイズを変更した場合の画像データサイズの変更量や、画像フォーマットの違いによる圧縮率の違いなどの専門知識を必要とせず、単にユーザ指定データとして画像フォーマットを指定することにより、指定サイズデータに合致した画像データサイズの画像ファイルを取得することができる。
【００２９】
メール端末４０は、画像ファイルが指定サイズの画像データサイズにすることができた場合、この画像ファイルを電子メールの添付ファイルとしてメールサーバ３８に送信する。メールサーバ３８では、電子メールに添付された画像ファイルが制限内となっているため、問題なくメールボックス３８ａのユーザＡの記憶容量に蓄積することができる。
【００３０】
なお、前述した画像データサイズ変更処理では、画像下限サイズを設けているが、必ずしもユーザがユーザ指定データに画像下限サイズを設定する必要はない。また、画像下限サイズに対する設定を無くして、画像下限サイズによるエラーが生じないようにしても良い。
【００３１】
次に、図５に示すフローチャートを参照しながら、画像データカラータイプ変更処理の動作について説明する。
前述した説明では、画像サイズと画像フォーマットを変更して画像ファイルの変更を行っているが、画像データカラータイプ変更処理では、ユーザ指定データに設定されたカラータイプを含めた画像ファイルの変換を行なう。
【００３２】
ＣＰＵ１０は、画像ファイルが添付された電子メールの送信実行が指示された場合、画像処理プログラムによる画像データカラータイプ変更処理を実行する。
【００３３】
ＣＰＵ１０は、予め指定サイズデータを設定すると共に（ステップＢ１）、ユーザ指定データに設定されたカラータイプをセットし（ステップＢ２）、このユーザ指定データに設定されていたカラータイプに応じて、画像ファイルの画像データを変更する（ステップＢ３）。すなわち、画像の色数を少なくすることによって、画像データサイズを小さくする。
【００３４】
ここで、ＣＰＵ１０は、カラータイプが変更された画像データの画像データサイズと指定サイズとを比較する（ステップＢ４）。ここで、画像データサイズが指定サイズを越えていない場合には（ステップＢ５）、ＣＰＵ１０は、目的とする画像データサイズに変更できたものとして処理を終了する。
【００３５】
一方、画像データサイズが指定サイズを越えていた場合には、ＣＰＵ１０は、図４のフローチャートに示す画像データサイズ変更処理を実行する（ステップＢ６）。すなわち、画像サイズと画像フォーマットの変更による画像ファイルの変換を行って、画像データサイズが指定サイズとなるようにする。
【００３６】
こうして、メール端末４０は、画像ファイルが指定サイズの画像データサイズにすることができた場合、この画像ファイルを電子メールの添付ファイルとしてメールサーバ３８に送信する。
【００３７】
このようにして、ユーザ指定データによってカラータイプが指定されている場合には、このカラータイプへの変換により画像ファイルの画像データサイズを変更することができる。また、カラータイプによる画像ファイルの変換だけでは指定サイズとすることができなくても画像データサイズ変更処理によって、画像ファイルを指定サイズの画像データサイズとすることができる。
【００３８】
なお、前述した説明では、ユーザ指定データに設定された１つのカラータイプによってのみ画像ファイルの変換を行っているが、複数のカラータイプを設定し、画像データサイズが大きいカラータイプ順に、指定サイズとなるまで画像ファイルの変換を実行するようにしても良い。
【００３９】
このようにして、本実施形態におけるメール端末４０では、専門知識を有しないユーザであっても、予めユーザ指定データを設定しておくことによって、画像ファイルのデータサイズが目的とするサイズに合っていない場合には、特別な編集操作などを行なうことなく所定のデータサイズとなるように画像ファイルを変更することができる。
【００４０】
なお、前述した説明では、カメラ２０によって撮影された静止画像を例にして説明しているが、動画像を扱う場合に適用することもできる。
また、前述した説明では、電子メールの送受信用の専用端末（メール端末４０）を例にしているが、ＰＣ４２や携帯電話４４などの他の情報機器に適用することもできる。例えば、携帯電話４４にメール端末４０と同様にしてカメラが搭載されており、このカメラによって撮影した画像を任意の宛先に送信できるものとする。この場合、画像の送信先に応じて画像ファイルのデータサイズに制限があれば、ユーザからの指示にることなく、送信先に応じたデータサイズ（指定サイズ）となるように画像データサイズ変更処理を実行するようにしても良い。
【００４１】
さらに、電子メールに添付する画像ファイルを処理対象とし、メールサーバ３８に設けられたファイルサイズの制限に応じて画像ファイルのデータサイズを変更するものとしているが、他の目的のために画像データサイズ変更処理（あるいは画像データカラータイプ変更処理）を実行して画像ファイルのデータサイズを変更するようにしても良い。
【００４２】
例えば、画像ファイルを記憶媒体に記憶させようとする際に、この記憶媒体の空き容量が十分でない場合、画像データサイズ変更処理（画像データカラータイプ変更処理）を実行する。すなわち、記憶媒体に対して画像ファイルを記憶させる際に予め空き容量を検出し、この空き容量が十分でなければ、この空き容量を指定サイズデータとして設定し、前述のようにして画像データサイズを変更した上で、画像ファイルの記憶媒体への記憶処理を実行する。これにより、ユーザは、記憶媒体の記憶容量を意識することなく、また残り記憶容量に応じた画像ファイルに対する処理をユーザからの指示によって行なう必要もなく、画像ファイルを記憶媒体に記憶させることができる。
【００４３】
また、ユーティリティプログラムにユーザが任意にデータサイズを指定できる機能を設け、この指定されたデータサイズを指定サイズデータとして設定し、この指定サイズデータに応じて画像ファイルに対する変更処理を実行するようにしても良い。
【００４４】
なお、上述した実施形態において記載した手法は、コンピュータに実行させることのできるプログラムとして、例えば磁気ディスク（フロッピーディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。本装置を実現するコンピュータは、記録媒体に記録されたプログラムを読み込み、または通信媒体を介してプログラムを受信し、このプログラムによって動作が制御されることにより、上述した処理を実行する。
【００４５】
【発明の効果】
以上詳述したように本発明によれば、予め設定された画像ファイルのデータサイズに合致するように所定の画像処理方法が用いられて画像ファイルの変更が行われるために、ユーザからの指示に応じた試行錯誤的な画像ファイルの変更操作が不要となり、ユーザに対する作業負担を軽減して、画像ファイルを所定のデータサイズに変更することが可能となるものである。
【図面の簡単な説明】
【図１】本実施形態に係わるメール端末のシステム構成を示すブロック図。
【図２】図１に示す構成によるメール端末４０により電子メールを送受信する場合に関連するシステムの構成の一例を示す図。
【図３】メール端末４０において管理され画像ファイルに対する変更処理に用いるデータの一例を示す図。
【図４】本実施形態における画像データサイズ変更処理の動作について説明するフローチャート。
【図５】画像データカラータイプ変更処理の動作について説明するフローチャート。
【符号の説明】
１０…ＣＰＵ
１２…ＲＯＭ
１４…ＲＡＭ
１６…外部記憶装置
１８…補助記憶装置
２０…カメラ
２２…ＬＣＤ
２４…ＶＲＡＭ
２６…ポインティングデバイス
２８…タブレット
３０…キーボード
３２…通信装置
３６…ネットワーク
３８…メールサーバ
４０…メール端末
４２…ＰＣ（パーソナルコンピュータ）
４４…携帯電話
【図１】
0004346222.tif 000002
【図２】
0004346222.tif 000003
【図３】
0004346222.tif 000004
【図４】
0004346222.tif 000005
【図５】
0004346222.tif 000006